(57)【要約】  【課題】  低ＥＳＬかつ高ＥＳＲの積層コンデンサを提供する。  【解決手段】  複数の第１内部電極および第２内部電極が積層体１の内部で誘電体層を挟んで互いに対向するように交互に配置されており、第１内部電極が第１外部電極５と接続され、第２内部電極が帯状の第１接続電極３と接続され、第１接続電極３と並んで略同じ長さに被着され、一端が第１接続電極３の対向する一端と電気的に接続され、他端が第２の側面の第２外部電極６と電気的に接続された、帯状の第２接続電極４とが配置された積層コンデンサ10である。電流経路が長く形成され、この電流経路のインダクタンスが互いに相殺されるので、インピーダンスの低い周波数帯域が広く、自己共振周波数付近においてインピーダンスが極端に低下しない積層コンデンサ10とすることができる。【選択図】  図１
2009266991.tif 000002
【特許請求の範囲】
【請求項１】
複数の誘電体層が積層されている直方体状の積層体と、
該積層体の積層方向の側面のうち互いに対向し合う第１の側面および第２の側面にそれぞれ被着された第１外部電極および第２外部電極と、
前記積層体の内部に配置され、前記誘電体層を挟んで互いに対向し合う、前記第１の側面に導出する第１導出部を有する第１内部電極ならびに前記第１の側面および前記第２の側面と異なる第３の側面に導出する第２導出部を有する第２内部電極と、
前記第３の側面に被着され、前記第２内部電極の前記第２導出部のそれぞれが電気的に接続された帯状の第１接続電極と、
前記第３の側面に、前記第１接続電極と並んで積層方向に伸びるように略同じ長さに被着され、一端が前記第１接続電極の対向する一端と電気的に接続され、他端が前記第２外部電極と電気的に接続された、帯状の第２接続電極と
を具備することを特徴とする積層コンデンサ。
【請求項２】
前記第１接続電極の一端と前記第２接続電極の一端とが、前記誘電体層間に配置された中継電極を介して電気的に接続されていることを特徴とする請求項１に記載の積層コンデンサ。
【請求項３】
前記第２接続電極の他端と前記第２外部電極とが、前記誘電体層間に配置された引出電極を介して電気的に接続されていることを特徴とする請求項１に記載の積層コンデンサ。
【発明の詳細な説明】
【技術分野】
【０００１】
本発明は電子回路に使用される積層コンデンサに関するものであり、特に高周波で動作するＩＣに対して使用されるデカップリング回路に用いるコンデンサとして好適に用いられる積層コンデンサに関するものである。
【背景技術】
【０００２】
近年のＩＣは、低消費電力を実現するために電源の低電圧化が図られているが、一方では高集積化が図られており、高集積化することによって消費電流が増大するため、供給される電流が不安定になりやすいものとなっている。そのため、ＩＣと電源との間には、電源から供給される電流の変動を安定化させるデカップリング回路を接続する必要がある。
【０００３】
デカップリング回路は、低周波から高周波までの広い周波数帯域でノイズをグランドに流すことにより電流の変動を取り除くようにした回路である。このような機能は、広い周波数帯域でグランドとの間のインピーダンスが低い特性であるコンデンサを用いることにより得られるものである。このような機能を有するデカップリング回路は、自己共振周波数の異なるコンデンサを複数並列接続させ、それぞれのコンデンサの自己共振周波数付近のインピーダンスが最も低くなる周波数帯域を、対象とする広い周波数帯域において低周波数側から高周波数側まで連続するように配置することによって構成される。そして、デカップリング回路の高周波側に対応して採用されるコンデンサとしては、例えば積層コンデンサが従来から好適に用いられている。
【０００４】
デカップリング回路に従来から用いられている積層コンデンサとしては、例えば、複数の長方形状の誘電体層を積層して成る直方体状の積層体と、この積層体の内部で誘電体層を挟んで容量形成部が互いに対向するように交互に配置された複数の第１内部電極および第２内部電極と、積層体の一方の端面および他方の端面に、それぞれ積層方向に渡って形成され、第１内部電極同士または第２内部電極同士をそれぞれ電気的に接続する第１外部電極および第２外部電極を備え、積層体の側面のいずれか一面を実装面とする積層コンデンサが知られている（例えば、特許文献１を参照。）。
【特許文献１】特開2004−296940号公報
【発明の開示】
【発明が解決しようとする課題】
【０００５】
従来の積層コンデンサは、等価直列インダクタンス（ＥＳＬ：Equivalent Series Inductance）を低くするために電流の経路を短くしているので、等価直列抵抗（ＥＳＲ：Equivalent Series Resistance）も低いものとなっており、このような積層コンデンサの自己共振周波数付近においてはインピーダンスが極端に低くなっていた。デカップリング回路にこのような積層コンデンサを複数用いた場合には、自己共振周波数が近いコンデンサ同士によって形成される反共振周波数においてインピーダンスが極端に高くなってしまい、反共振周波数付近ではノイズをグランドに流すことができないという問題点があった。
【０００６】
このため、デカップリング回路に用いるコンデンサはＥＳＲが低くなりすぎないようにしておかなければならないが、ＥＳＲを高くするために電流経路を長くするとＥＳＬも高くなるという問題点がある。例えば、上述した従来の積層コンデンサにおいて、第１外部電極と第２外部電極との間隔を長くして第１内部電極および第２内部電極に流れる電流の経路を長くすると、ＥＳＲを高くすることはできるもののＥＳＬも高くなってしまう。
【０００７】
本発明は上記のような従来の積層コンデンサにおける問題点に鑑み案出されたものであり、その目的は、低ＥＳＬかつ高ＥＳＲの積層コンデンサを提供することにある。
【課題を解決するための手段】
【０００８】
本発明の積層コンデンサは、複数の誘電体層が積層されている直方体状の積層体と、該積層体の積層方向の側面のうち互いに対向し合う第１の側面および第２の側面にそれぞれ被着された第１外部電極および第２外部電極と、前記積層体の内部に配置され、前記誘電体層を挟んで互いに対向し合う、前記第１の側面に導出する第１導出部を有する第１内部電極ならびに前記第１の側面および前記第２の側面と異なる第３の側面に導出する第２導出部を有する第２内部電極と、前記第３の側面に被着され、前記第２内部電極の前記第２導出部のそれぞれが電気的に接続された帯状の第１接続電極と、前記第３の側面に、前記第１接続電極と並んで積層方向に伸びるように略同じ長さに被着され、一端が前記第１接続電極の対向する一端と電気的に接続され、他端が前記第２外部電極と電気的に接続された、帯状の第２接続電極とを具備することを特徴とするものである。
【０００９】
また、本発明の積層コンデンサは、上記構成において、前記第１接続電極の一端と前記第２接続電極の一端とが、前記誘電体層間に配置された中継電極を介して電気的に接続されていることを特徴とするものである。
【００１０】
また、本発明の積層コンデンサは、上記構成において、前記第２接続電極の他端と前記第２外部電極とが、前記誘電体層間に配置された引出電極を介して電気的に接続されていることを特徴とするものである。
【発明の効果】
【００１１】
本発明の積層コンデンサによれば、第２内部電極の第２導出部と第２外部電極との間で第１接続電極および第２接続電極からなる長い電流経路が形成されるので、積層コンデンサのＥＳＲを高くすることが可能となる。また、このように長い電流経路を有するが、第１接続電極に流れる電流の向きと第２接続電極に流れる電流の向きとが互いに逆方向になるので、第１接続電極および第２接続電極のそれぞれに流れる電流によるインダクタンスが互いに相殺され、インダクタンス（ＥＳＬ）を低くすることが可能となる。
【００１２】
すなわち本発明の積層コンデンサによれば、ＥＳＬを低くしつつＥＳＲを高くすることが可能であるため、自己共振周波数を高周波数側にすることができ、自己共振周波数でのインピーダンスの極端な低下を抑えることができる。
【００１３】
このような高ＥＳＲかつ低ＥＳＬの積層コンデンサを複数用いた場合には、自己共振周波数が近いコンデンサ同士が形成する反共振周波数のインピーダンスが極端に高くならないので、複数のコンデンサを並列に接続したデカップリング回路に用いたときに、自己共振周波数が近い他のコンデンサとの間の反共振周波数のインピーダンスを低く抑えることができ、反共振周波数付近においてもノイズをグランドへと流すことができる。
【００１４】
また、第１接続電極および第２接続電極は積層体の表面に被着されているので、内部にＥＳＬを低くするための内部電極パターンを形成する場合のように、内部電極で流れる電流の向きが互いに逆方向になるような特別な内部電極を用意する必要がなく、第１内部電極および第２内部電極の面積を広くできるので大きい容量を形成することができる。
【００１５】
また、本発明の積層コンデンサによれば、第１接続電極の一端と第２接続電極の一端とを、誘電体層間に配置された中継電極を介して接続しているときには、第１接続電極と第２接続電極とを電気的に接続する部分は積層体内部に配置されており、外気に触れることがなく、酸素や水などの物質と化学反応しないため、導体の腐食等の影響を受けなくなるので、第１接続電極と第２接続電極との間の断線が発生しなくなる。
【００１６】
また、第２接続電極の他端と第２外部電極とを、誘電体層間に配置された引出電極を介して接続しているときにも、第２接続電極と第２外部電極とを電気的に接続する部分は積層体内部に配置されており、外気に触れることがなく、酸素や水などの物質と化学反応しないため、導体の腐食等の影響を受けなくなるので、第２接続電極と第２外部電極との間の断線が発生しなくなる。
【発明を実施するための最良の形態】
【００１７】
以下に、本発明の積層コンデンサについて、添付図面を参照しつつ詳細に説明する。
【００１８】
図１は本発明の積層コンデンサの実施の形態の一例を示す外観斜視図である。図２は図１に示す積層コンデンサの分解斜視図である。図３は図１に示す積層コンデンサのＡ−Ａ線断面図である。図４は図１に示す積層コンデンサのＢ−Ｂ線断面図である。
【００１９】
これらの図に示す本例の積層コンデンサ10は、複数の誘電体層２を積層して成る積層体１と、この積層体１で誘電体層２を挟んで互いに対向して誘電体層２の面積の大部分を占めるような面積に配置された複数の第１内部電極７および複数の第２内部電極８と、積層体１の内部に配置された中継電極11，引出電極12およびダミー電極13と、積層体１の第１の側面１ａに形成された第１外部電極５および第２の側面１ｂに形成された第２外部電極６と、第３の側面１ｃに形成された第１接続電極３および第２接続電極４とを備えている。
【００２０】
積層体１は、１層当たり１〜３μｍの厚みに形成された長方形状の複数の誘電体層２を、例えば20〜2000層積層して成る直方体状の誘電体ブロックである。なお、図１においては、本例を簡略化して説明するために誘電体層２の積層数を省略して示した。
【００２１】
誘電体層２の材料としては、例えば、チタン酸バリウム，チタン酸カルシウム，チタン酸ストロンチウム等の比較的誘電率が高いセラミックスを主成分とする誘電体材料が用いられている。
【００２２】
第１外部電極５および第２外部電極６は、積層体１の積層方向の側面のうち互いに対向し合う第１の側面１ａおよび第２の側面１ｂに、それぞれ積層方向に渡って被着された、外部の回路に固定するとともに電気的に接続するための端子電極である。これら第１外部電極５および第２外部電極６の材料としては、例えばニッケル，銅，銀，パラジウム等の金属を主成分とする導体材料が用いられ、２〜20μｍの厚みでそれぞれ被着されている。
【００２３】
第１内部電極７および第２内部電極８は、図２に示すように、積層体１の内部に誘電体層２を挟んで互いに対向するよう配置され、0.5〜８μｍの厚みに形成されており、電荷を蓄えて静電容量を得るための内部電極層である。また、図３に示すように、第１内部電極７からは積層体１の第１の側面１ａに第１導出部７ｂが引き出されており、積層体１の第１の側面１ａに導出された第１内部電極７の第１導出部７ｂ同士は、第１外部電極５によりそれぞれ電気的に接続されている。また、図４に示すように、第２内部電極８からは、第１の側面１ａおよび第２の側面１ｂと異なる第３の側面１ｃに、第２導出部８ｂが引き出されている。第１内部電極７および第２内部電極８の材料としては、例えばニッケル，銅，ニッケル−銅，銀−パラジウム等の金属を主成分とする導体材料が用いられる。
【００２４】
第２導出部８ｂのそれぞれは、積層体１の第３の側面１ｃにおいて、積層方向に伸びるように被着されている帯状の第１接続電極３と電気的に接続されている。
【００２５】
そしてさらに、積層体１の第３の側面１ｃには、第１接続電極３と並んで積層方向に伸びるように略同じ長さに第２接続電極４が被着されており、この第２接続電極４の一端が第１接続電極３の対向する一端と電気的に接続されている。
【００２６】
本例の積層コンデンサ10においては、第１接続電極３の一端と第２接続電極４の一端との電気的な接続は、積層体１の内部で積層方向に見たときに第１内部電極７および第２内部電極８が配置されている領域の外側の一方の誘電体層２間に配置され、一部が第３の側面１ｃに導出された中継電極11を介して電気的に接続されている。
【００２７】
また、第２接続電極４の他端は、積層体１の内部で積層方向に見たときに第１内部電極７および第２内部電極８が配置されている領域の外側の誘電体層２間に配置され、一部が第３の側面１ｃに導出された引出電極12を介して第２外部電極６と電気的に接続されている。
【００２８】
本例の積層コンデンサ10においては、第１接続電極３および第２接続電極４は、第１外部電極５および第２外部電極６と同じ材料を用いてそれらと同じ厚みに形成され、中継電極11および引出電極12は、第１内部電極７および第２内部電極８と同じ材料を用いてそれらと同じ厚みに形成される。
【００２９】
このような本例の積層コンデンサ10は、誘電体層２を挟んで電荷を蓄える第１内部電極７および第２内部電極８が複数配置されているので、大きな静電容量を得ることができるコンデンサとなっている。また、第４の側面１ｄを外部の回路基板等への実装面とすれば、第１内部電極７および第２内部電極８を流れる電流のインダクタンスが小さくなりＥＳＬが低くなるので、自己共振周波数が高周波側に発生し、高周波側にインピーダンスの低い周波数帯域を有したコンデンサとなる。
【００３０】
そして、本例の積層コンデンサ10では、第１内部電極７と第１外部電極５との間では電流が直接流れているものの、第２内部電極８と第２外部電極６との間では、第１接続電極３および第２接続電極４を介して電流が流れる構成となっている。このように、本例の積層コンデンサ10では、第２内部電極８の第２導出部８ｂと第２外部電極６との間で第１接続電極３および第２接続電極４からなる長い電流経路が形成されるので、積層コンデンサ10のＥＳＲを高くすることが可能となる。また、このように電流経路が長くなってはいるものの、第１接続電極３を流れる電流の向きと第２接続電極４を流れる電流の向きとが互いに逆方向になるので、第１接続電極３および第２接続電極４のそれぞれに流れる電流によるインダクタンスが互いに相殺され、ＥＳＬを低くすることが可能となる。
【００３１】
また、本例の積層コンデンサ10では、ＥＳＲを高くするための電流経路となる第１接続電極３および第２接続電極４が積層体１の側面に被着されていることから、積層体１の内部に誘電体層２を挟んで互いに対向して配置されている第１内部電極７と第２内部電極８との対向部分の面積を広く形成することができるので、容量値を大きく保ちつつＥＳＲを高くすることができる。
【００３２】
すなわち、本例の積層コンデンサ10は、ＥＳＬを低くしつつＥＳＲを高くすることが可能であるため、自己共振周波数を高周波側にすることができ、自己共振周波数でのインピーダンスの極端な低下を抑えることができる。このような本例の積層コンデンサ10は、自己共振周波数が近いもの同士の反共振周波数におけるインピーダンスが高くならないので、複数のコンデンサを並列に接続したデカップリング回路に用いたときに、自己共振周波数が近い他のコンデンサとの間の反共振周波数のインピーダンスを低く抑えることができ、反共振周波数付近においてもノイズをグランドへと流すことができる。
【００３３】
また、第１接続電極３および第２接続電極４は積層体１の表面に被着されているので、内部にＥＳＬを低くするための内部電極パターンを形成する場合のように、内部電極で流れる電流の向きが互いに逆方向になるような特別な内部電極を用意する必要がなく、第１内部電極７および第２内部電極８の面積を広くできるので大きい容量を形成することができる。
【００３４】
また、本例の積層コンデンサ10によれば、第１接続電極３の一端と第２接続電極４の一端とを、誘電体層２間に配置された中継電極11を介して接続していることから、第１接続電極３と第２接続電極４とを電気的に接続する部分は積層体１内部に配置されており、外気に触れることがなく、酸素や水などの物質と化学反応しないため、導体の腐食等の影響を受けなくなるので、第１接続電極３と第２接続電極４との間の断線が発生しなくなる。
【００３５】
さらに、第２接続電極４の他端と第２外部電極６とを、誘電体層２間に配置された引出電極12を介して接続していることから、第２接続電極４と第２外部電極６とを電気的に接続する部分は積層体１内部に配置されており、外気に触れることがなく、酸素や水などの物質と化学反応しないため、導体の腐食等の影響を受けなくなるので、第２接続電極４と第２外部電極６との間の断線が発生しなくなる。
【００３６】
本例の積層コンデンサ10は、例えば以下に示す方法により製造される。
【００３７】
まず、チタン酸バリウム，チタン酸カルシウム，チタン酸ストロンチウム等を主成分とする誘電体材料の粉末に適当な有機溶剤，ガラスフリット，有機バインダ等を添加・混合してセラミックスラリーとするとともに、このセラミックスラリーをドクターブレード法等によって厚さ２μｍに形成してセラミックグリーンシートを作製する。
【００３８】
次に、セラミックグリーンシートを所定形状に複数枚に分割し、各セラミックグリーンシートの一主面に、例えば、ニッケル，銅，ニッケル−銅，銀−パラジウム等の金属材料の粉末に適当な有機溶剤，ガラスフリット，有機バインダ等を添加・混合して得た導体ペーストを、スクリーン印刷法によって本例の積層コンデンサ10の第１内部電極７、第２内部電極８、中継電極11および引出電極12に対応するパターンに印刷・塗布するか、またはメッキにより形成した金属膜を転写することにより被着し形成する。
【００３９】
得られたセラミックグリーンシートを所定の枚数積層して圧着することにより、複数のセラミックグリーンシートからなる積層シートを形成し、この積層シートを個々のコンデンサ10に対応する個片の生積層体に切断分離する。
【００４０】
この切断分離した個片の生積層体を例えば1100℃〜1400℃の温度で焼成し、得られた積層ブロックに対してバレル研磨等により側面と主面との角部を面取りすることにより、複数の誘電体層２を積層して成る積層体１を得ることができる。
【００４１】
ダミー電極13は、図２に示すように、積層体１の内部に複数配置され、第１の側面１ａ，第２の側面１ｂ，第３の側面１ｃに複数導出されている。第３の側面１ｃでは中継電極11の導出されている部分と引出電極12の導出されている部分との間に配置されている。
【００４２】
第１外部電極５，第２外部電極６および第１接続電極３は、例えば、積層体１を無電解銅メッキ液に浸すことにより、第１内部電極７の第１導出部７ｂ，第２内部電極８の第２導出部８ｂ，中継電極11の導出部および引出電極12の導出部を基点として銅メッキ膜を析出させて形成することができる。
【００４３】
また、本例の積層コンデンサ10においては、誘電体層２間の第１内部電極７、第２内部電極８および中継電極11が形成されていない部分に、第２接続電極４と電気的に接続する導出部が第３の側面１ｃへ導出されるようにダミー電極13が配置されており、このダミー電極13を基点として銅メッキ膜を析出させることにより第２接続電極４を形成するようにしている。
【００４４】
また、第２接続電極４は、レーザーでトリミングすることにより、その幅を狭くすることができるので、積層コンデンサ10を作製した後に、ＥＳＲを調整することも可能となっている。
【００４５】
なお、本発明は上述した実施の形態の例に限定されるものではなく、本発明の要旨を逸脱しない範囲において種々の変更，改良等が可能である。
【００４６】
例えば、上述した実施の形態の例では第１外部電極５，第２外部電極６，第１接続電極３および第２接続電極４は、いずれもメッキ形成法により形成されているが、作製した積層体１の第１の側面１ａ，第２の側面１ｂ，第３の側面１ｃに、例えばニッケル，銅，銀，パラジウム等の金属を主成分とする金属材料の粉末に適当な有機溶剤，ガラスフリット，有機バインダ等を添加・混合して得た導体ペーストを、スクリーン印刷法によって所定パターンに印刷・塗布し、第１外部電極５は複数の第１導出部７ｂと接続され、第２外部電極６は引出電極12と接続され、第１接続電極３は複数の第２導出部８ｂと接続され、第２接続電極４は中継電極11と引出電極12とに接続されるように、導体ペーストを印刷・塗布し、その後、焼成することによって、第１外部電極５，第２外部電極６，第１接続電極３および第２接続電極４を形成してもよい。
【００４７】
また、上述した実施の形態の例では、第１接続電極３と第２接続電極４とは誘電体層２間に配置された中継電極11を介して接続されているが、メッキ形成法ではなく、導体ペーストを用いて形成する方法を用いて、中継電極11を配置せずに第１接続電極３の一端と対向する第２接続電極４の一端とを第３の側面１ｃ上で接続してもよい。
【００４８】
また、上述した実施の形態の例では、第２接続電極４と第２外部電極６とは誘電体層２間に配置された引出電極12を介して接続されているが、メッキ形成法ではなく、導体ペーストを用いて形成する方法を用いて、引出電極12を配置せずに第２接続電極４の他端と第２外部電極６とを第２の側面１ｂ上と第３の側面１ｃ上とで接続してもよい。
【実施例】
【００４９】
本例の積層コンデンサ10として、以下に示す構成の試料１を作製した。
【００５０】
積層体１は、誘電体層２の材料としてチタン酸バリウムを主成分とする強誘電体セラミックスを採用し、長さが1.6ｍｍで幅および高さがそれぞれ0.8ｍｍの直方体状のものとした。第１内部電極７および第２内部電極８は、材料としてニッケルを採用し、積層体１の内部にそれぞれ300枚ずつ配置した。第１接続電極３，第２接続電極４，第１外部電極５および第２外部電極６は、材料として銅を採用し、その表面にはニッケルの膜を形成し、さらにその表面には錫の膜を形成した。
【００５１】
また、比較例として、従来の積層コンデンサの試料２を作製した。試料２は、第１接続電極３，第２接続電極４，中継電極11および引出電極12を形成せず、第２内部電極８の第２導出部８ｂを第２の側面に導出するようにして、第２内部電極８を第２外部電極に直接接続した点を除いては、試料１と同じ形状および同じ材料のものとした。
【００５２】
これら試料１，２について、１ＭＨｚ〜1000ＭＨｚの周波数帯域におけるインピーダンスを測定した。図５は積層コンデンサのインピーダンスの周波数依存性を示す線図であり、横軸は周波数（単位：ＭＨｚ）を示し、縦軸はインピーダンス｜Ｚ｜（単位：Ω）を示す。図中の実線の特性曲線Ｘは試料１（本例の積層コンデンサ10）のインピーダンス特性を示し、破線の特性曲線Ｙは試料２（従来の積層コンデンサ）のインピーダンス特性を示す。
【００５３】
図５に示す結果の通り、試料１は試料２に比べて、インピーダンスが最小となる自己共振周波数付近でのインピーダンスが大きくなっていることが分かる。これは、第２内部電極８と第２外部電極６とを第１接続電極３および第２接続電極４を介して接続することにより、第１接続電極３および第２接続電極４の分だけ電流経路が長くなり、ＥＳＲが高くなったことによるものである。また、このように電流経路が長くなっているものの、第１接続電極３を流れる電流の向きと第２接続電極４を流れる電流の向きとは互いに逆方向であるので、それぞれのインダクタンスが相殺され、第１接続電極３および第２接続電極４を流れる電流によって発生するインダクタンスは低いものとなる。このことによって、自己共振周波数よりも高い周波数におけるインピーダンスは試料２のインピーダンスとほとんど変わらない。また、本実施例の試料１では、積層体１の側面に第１接続電極３および第２接続電極４を被着することによりＥＳＲを高めているため、積層体１の内部に内部電極で流れる電流の向きが互いに逆方向になるような特別な内部電極を用意する必要がなく、その分第１内部電極または第２内部電極の数を少なくすることにならないので、容量値を小さくすることがない。このことから、自己共振周波数よりも低い周波数におけるインピーダンスが試料２のインピーダンスよりも高くなることがない。
【００５４】
このように本発明の積層コンデンサによれば、第１内部電極の第１導出部は第１の側面で第１外部電極に接続され、第２内部電極の第２導出部は第１接続電極とそれぞれ電気的に接続され、第１接続電極の一端が、第１接続電極の一端と対向する第２接続電極の一端と電気的に接続され、第２接続電極の他端が第２外部電極と接続されていることから、第２内部電極と第２外部電極との間に長い電流経路が形成されるので、積層コンデンサのＥＳＲを高くすることが可能となることが確認された。また、このように電流経路が長くなっているものの、第１接続電極に流れる電流の向きと第２接続電極に流れる電流の向きとが互いに逆方向になるので、第１接続電極および第２接続電極に流れる電流のインダクタンスが互いに相殺され、ＥＳＬを低くすることが可能となることが確認された。
【図面の簡単な説明】
【００５５】
【図１】本発明の積層コンデンサの実施の形態の一例を示す外観斜視図である。
【図２】図１に示す積層コンデンサの分解斜視図である。
【図３】図１に示す積層体のＡ−Ａ線断面図である。
【図４】図１に示す積層体のＢ−Ｂ線断面図である。
【図５】積層コンデンサの周波数変化によるインピーダンス変化を示す線図である。
【符号の説明】
【００５６】
１・・・積層体
１ａ・・・第１の側面
１ｂ・・・第２の側面
１ｃ・・・第３の側面
１ｄ・・・第４の側面
２・・・誘電体層
３・・・第１接続電極
４・・・第２接続電極
５・・・第１外部電極
６・・・第２外部電極
７・・・第１内部電極
８・・・第２内部電極
７ｂ・・・第１導出部
８ｂ・・・第２導出部
10・・・積層コンデンサ
11・・・中継電極
12・・・引出電極
13・・・ダミー電極
【図１】
2009266991.tif 000003
【図２】
2009266991.tif 000004
【図３】
2009266991.tif 000005
【図４】
2009266991.tif 000006
【図５】
2009266991.tif 000007